(57)【要約】【課題】循環ポンプの巻線の温度上昇を抑制した安価な洗濯機用ポンプを提供すること。【解決手段】循環ポンプ１７は、送水するための羽根３８を有する回転ランナー２３と、回転ランナー２３を内包するポンプケーシング２５と、回転ランナー２３を駆動するポンプモータ２６とを有し、ポンプモータ２６は、回転ランナー２３を有する回転軸３１と、回転軸３１の外周に配したステータ２６ａと、ステータ２６ａの外方に配したロータ３３とを有し、ロータ３３は、ステータ２６ａの外周に配したマグネット３２を固定した円筒部３３ａと、円筒部３３ａと回転軸３１を結合する円盤部３３ｂとを有し、円盤部３３ｂには貫通穴５３ｃを設けたことにより、簡単な構成で、安価に巻線の温度上昇を抑制することができる。【選択図】図２
2014030464.tif 000002
【特許請求の範囲】
【請求項１】
外箱内方に支持された水槽と、前記水槽内部に回転自在に配したドラムと、前記ドラムを回転駆動するモータと、前記水槽内部の洗濯水を前記ドラム内に循環する循環ポンプとを備えた洗濯機において、前記循環ポンプは、送水するための羽根を有する回転ランナーと、前記回転ランナーを内包するポンプケーシングと、前記回転ランナーを駆動するポンプモータとを有し、前記ポンプモータは、前記回転ランナーを有する回転軸と、前記回転軸の外周に配したステータと、前記ステータの外方に配したロータとを有し、前記ロータは、前記ステータの外周に配したマグネットを固定した円筒部と、前記円筒部と前記回転軸を結合する円盤部とを有し、前記円盤部には貫通穴を設けた構成の洗濯機用ポンプ。
【請求項２】
前記円盤部には、切起こし部を設けた請求項１に記載の洗濯機用ポンプ。
【請求項３】
前記ポンプモータは、前記ステータおよび前記ロータとを収納するモータカバーを有すると共に、前記循環ポンプを洗濯機に組み込んだ状態において、前記モータカバーの下面側に通気口を設けた請求項１または２に記載の洗濯機用ポンプ。
【発明の詳細な説明】
【技術分野】
【０００１】
本発明は、洗濯機において、水槽内の洗濯水を吸い上げてドラム内の衣類に撒布したり、洗濯水を機外に排水したりする洗濯機用ポンプに関するものである。
【背景技術】
【０００２】
従来、この種の洗濯機の循環ポンプは、ロータはステータの外周にマグネットを内包した円筒部と、回転軸を締結する円盤部とからなるアウターロータ方式とする構成が提案されてきた（例えば、特許文献１参照）。
【０００３】
図６は、特許文献１に記載された従来の洗濯機用ポンプの断面図である。
【０００４】
図６において、循環ポンプ７７は、ポンプケーシング２５の内部に回転ランナー２３を有し、ポンプモータ２６の回転軸３１で駆動する。ポンプモータ２６はステータ２６ａとロータ７３とそれらを収納するモータカバー２７からなり、ロータ７３はステータ２６ａの外周にマグネット３２を内包した円筒部７３ａと回転軸３１を締結する円盤部７３ｂからなるアウターロータ方式とする構成としている。
【０００５】
また、ポンプ部を駆動するポンプモータの温度上昇を抑えるために、冷却風を起こす冷却羽根を回転軸に連結する構成も提案されている（例えば、特許文献２参照）。
【０００６】
図７は、特許文献２に記載された従来の洗濯機用ポンプの断面図である。
【０００７】
図７において、循環ポンプは、ポンプモータ６０の回転軸６１に回転ランナー６２を締結し、その周囲をポンプケーシング６３で格納している。そして、ポンプモータ６０の巻線温度を抑えるための冷却羽根６４を回転軸６１に締結し、ポンプモータの回転により送風する構成になっている。
【先行技術文献】
【特許文献】
【０００８】
【特許文献１】特開２０１０−１０４４０４号公報
【特許文献２】特開２００８−１５７２５４号公報
【発明の概要】
【発明が解決しようとする課題】
【０００９】
しかしながら、前記従来の構成では、アウターロータ方式のロータによってステータの巻線が内包されているため、熱放散が不十分となり、ポンプ性能が低下したり、絶縁性能の劣化が進んだりする恐れがあるという課題があった。
【００１０】
また、ポンプモータの外に冷却羽根を設ける必要があり、コストがかかるという課題もあった。
【００１１】
本発明は、前記従来の課題を解決するもので、アウターロータによって内包されたステータの巻線の熱放散を促すとともに、別部品としての冷却羽根が不要となる安価な洗濯機用ポンプを提供することを目的としている。
【課題を解決するための手段】
【００１２】
前記従来の課題を解決するために、本発明の洗濯機用ポンプは、外箱内方に支持された
水槽と、前記水槽内部に回転自在に配したドラムと、前記ドラムを回転駆動するモータと、前記水槽内部の洗濯水を前記ドラム内に循環する循環ポンプとを備えた洗濯機において、前記循環ポンプは、送水するための羽根を有する回転ランナーと、前記回転ランナーを内包するポンプケーシングと、前記回転ランナーを駆動するポンプモータとを有し、前記ポンプモータは、前記回転ランナーを有する回転軸と、前記回転軸の外周に配したステータと、前記ステータの外方に配したロータとを有し、前記ロータは、前記ステータの外周に配したマグネットを固定した円筒部と、前記円筒部と前記回転軸を結合する円盤部とを有し、前記円盤部には貫通穴を設けたものである。
【００１３】
これによって、ロータの外部と内部との空気が活発に移動するので、ロータに内包されたステータの巻線の熱放散を促し、巻線の発熱を抑えることができるので、別部品として冷却羽根を設ける必要もなく、発熱によるポンプ性能の低下や絶縁性能の劣化を防止することができる。
【発明の効果】
【００１４】
本発明の洗濯機用ポンプは、安価に簡単な構成で、ステータの巻線の熱放散を促し、巻線の発熱を抑制することができる。
【図面の簡単な説明】
【００１５】
【図１】本発明の実施の形態１における洗濯機用ポンプを備えたドラム式洗濯機の縦断面図
【図２】同、洗濯機用ポンプの要部断面図
【図３】同、洗濯機用ポンプのロータの斜視図
【図４】本発明の実施の形態２における洗濯機用ポンプの要部断面図
【図５】本発明の実施の形態３における洗濯機用ポンプの要部断面図
【図６】特許文献１に記載された従来の洗濯機用ポンプの要部断面図
【図７】特許文献２に記載された従来の洗濯機用ポンプの一部切欠した断面図
【発明を実施するための形態】
【００１６】
第１の発明は、外箱内方に支持された水槽と、前記水槽内部に回転自在に配したドラムと、前記ドラムを回転駆動するモータと、前記水槽内部の洗濯水を前記ドラム内に循環する循環ポンプとを備えた洗濯機において、前記循環ポンプは、送水するための羽根を有する回転ランナーと、前記回転ランナーを内包するポンプケーシングと、前記回転ランナーを駆動するポンプモータとを有し、前記ポンプモータは、前記回転ランナーを有する回転軸と、前記回転軸の外周に配したステータと、前記ステータの外方に配したロータとを有し、前記ロータは、前記ステータの外周に配したマグネットを固定した円筒部と、前記円筒部と前記回転軸を結合する円盤部とを有し、前記円盤部には貫通穴を設けたことにより、貫通穴を通してアウターロータの外部と内部との空気が活発に移動するので、ロータに内包されたステータの巻線の熱放散を促し、別部品として冷却羽根を設ける必要がないので、簡単な構成で安価に、発熱によるポンプ性能の低下や絶縁性能の劣化を防止することができる。
【００１７】
第２の発明は、特に、第１の発明の円盤部には、切起こし部を設けたことにより、貫通穴を通してアウターロータの外部と内部との空気が、さらに効率よく移動し、ロータに内包されたステータの巻線の熱放散を促し、別部品として冷却羽根を設ける必要もないので、簡単な構成で安価に、発熱によるポンプ性能の低下や絶縁性能の劣化を防止することができる。
【００１８】
第３の発明は、特に第１または第２の発明のポンプモータは、前記ステータおよび前記ロータとを収納するモータカバーを有すると共に、前記循環ポンプを洗濯機に組み込んだ
状態において、前記モータカバーの下面側に通気口を設けたことにより、通気口によってモータカバーの外部と内部との空気が活発に移動し、万一、上部から水が滴下してもポンプモータ内部には水が侵入しない。従って、モータカバー内部の熱放散を促し、別部品として冷却羽根を設ける必要もないので、簡単な構成で安価に、発熱によるポンプ性能の低下や絶縁性能の劣化を防止することができる。
【００１９】
以下、本発明の実施の形態について、図面を参照しながら説明する。なお、従来例と同じ構成のものは同一符号を付して説明を省略する。また、この実施の形態によって本発明が限定されるものではない。
【００２０】
（実施の形態１）
図１は、本発明の実施の形態１における洗濯機用ポンプを備えたドラム式洗濯機の縦断面図であり、図２は、洗濯機用ポンプの要部断面図、図３は、洗濯機用ポンプのロータの斜視図を示す。
【００２１】
図１において、矩形形状のベース枠１の上方に略矩形箱形状の外箱２、および外箱２の上方には操作パネル４や、給水口５を備えたパネル板３を配する。
【００２２】
外箱２の内方には、サスペンション６にて水槽７が揺動自在にベース枠１に支持され、水槽７内部には、周壁に多数の小孔９を有するドラム８が、回転自在に軸支される。
【００２３】
外箱２の前方には、ドラム８のドラム開口１１、並びに水槽７の水槽開口１２に対応して蓋体１０を開閉自在に配する。
【００２４】
パネル板３上方の給水口５に接続した給水弁１３からは、ドラム８および水槽７の内部に洗濯水を供給し、ドラム８は、水槽７外底部に固着したモータ１４にて回転駆動して洗濯やすすぎ動作がなされる。
【００２５】
水槽７の底部排水口１５には、排出ホース１６を接続して循環ポンプ１７に配管し、さらに循環ポンプ１７に接続した吐出ホース１８は、上方に延設して水槽開口１２部に配置した撒水口１９よりドラム開口１１から内部の衣類２１に洗濯水２０を撒布し、洗剤液を衣類に良く染み込ませることで洗浄効果を高める構成である。
【００２６】
図２において、循環ポンプ１７は、排出ホース１６を接続して洗濯水２０を流入する流入口２２、および流入口２２と略直角に配し、吐出ホース１８を接続した吐出口２４を有するポンプケーシング２５と、流入口２２と同軸的に配した回転ランナー２３と、回転ランナー２３を回転駆動するポンプモータ２６とで構成されたいわゆる遠心力タイプのポンプ構成である。
【００２７】
ポンプモータ２６のモータカバー２７と、ポンプケーシング２５との間には軸受プレート２８を配し、ポンプケーシング２５の外周部とはゴム等のＯリング２９にて水密的に固定し、中心部の回転ランナー２３の回転軸３１とは水封シール３０にて水封する。
【００２８】
回転軸３１は、マグネット３２を有するポンプモータ２６の回転子（ロータ）３３を固着し、軸受プレート２８に内設した複数個の軸受３４にて回転支持される。
【００２９】
回転ランナー２３の形状は、中央ボス部３７を、流入口２２側の先端から略円盤状のランナー基板３６外周部に向けて断面が大きい半径（Ｒ）を有する円弧状スカート部３５を形成する。
【００３０】
また、中央ボス部３７の外周に形成された複数枚の羽根３８は、ランナー基板３６の裏面側（図２で右側）まで延設した延設羽根３９を形成する。
【００３１】
さらに、ランナー基板３６の裏面側（図２で右側）に円筒状リブ４０ａおよび内側円筒状リブ４０ｂを複数条形成し、軸受プレート２８の中央部の水封シール３０を取り付けたボス部４２の外周に、円筒状ラビリンスリブ４１をその先端が円筒状リブ４０ａおよび内側円筒状リブ４０ｂの間でかつ、端部よりランナー基板３６側に入り込んだオーバーラップとなるようにラビリンス形状に構成する。
【００３２】
回転ランナー２３の回転軸であり、かつポンプモータ２６の回転軸でもある回転軸３１を軸支した複数個の軸受３４や水封シール３０を支持した軸受プレート２８は、水封シール３０の取付近傍のポンプモータ２６側には開口部４３を形成し、この開口部４３は、軸受プレート２８に一体形成した水抜き通路４４を介してモータカバー２７の透孔４５より外方に通じている。
【００３３】
ここで、ロータ３３は、内壁に、ステータ２６ａと対向してマグネット３２を配設する円筒部３３ａと、この円筒部３３ａと回転軸３１とを結合する円盤部３３ｂから成るアウターロータ方式となっている。そして円盤部３３ｂには複数の貫通穴３３ｃが設けてある。
【００３４】
図３は、ロータ３３をポンプケーシングと反対側、すなわち図２の右側から見た斜視図を示している。
【００３５】
図３において、円盤部３３ｂは、その中央で、回転軸３１にかしめなどによって強固に締結されている。そして、円盤部３３ｂの外周は同一材料をプレス加工することによって円筒部３３ａを形成している。さらに円盤部には複数の貫通穴３３ｃを設けている。
【００３６】
以上のように構成されたドラム式洗濯機の循環ポンプについて、以下その動作、作用を説明する。
【００３７】
一般的に、ポンプモータ２６は、アウターロータ方式によってステータ２６ａの巻線が内包されているため、熱放散が不十分となる。特に、循環流量を増加させたり、駆動時間が長くなったりすると顕著となる。
【００３８】
しかし、本実施の形態においては、ロータ３３の円盤部３３ｂに設けた複数の貫通穴３３ｃによって、ロータ３３の内部と外部の空気の循環が可能となり、巻線を冷却することができるので、発熱によりポンプ性能が低下することはない。なお、貫通穴３３ｃは、本実施の形態１の図３では円形状を４個設けているが、円形状４個に限定するものではなく、ロータの強度や加工性に合わせて実施することでも良い。
【００３９】
以上のように、本実施の形態１においては、マグネットを内設した円筒部と、円筒部と回転軸を締結する底部側の円盤部とで形成されるロータの円盤部に、複数の貫通穴を設けるようにしたことにより、貫通穴を通してアウターロータの外部と内部との空気が活発に移動するので、ロータに内包されたステータの巻線の熱放散を促し、別部品として冷却羽根を設ける必要もないので、簡単な構成で安価に、発熱によるポンプ性能の低下や絶縁性能の劣化を防止することができる。
【００４０】
（実施の形態２）
図４は、本発明の実施の形態２における洗濯機用ポンプの要部断面図を示すものである。
【００４１】
本実施の形態２は、循環ポンプ５７を構成するロータ５３の円盤部５３ｂの形状以外の構成は、上記実施の形態１と同じであり、詳細な説明は省略する。
【００４２】
図４において、ロータ５３の円盤部５３ｂに、切起こし部３３ｄを持つ貫通穴５３ｃを複数設けたものである。貫通穴５３ｃを形成する際のプレス加工で同時に形成することもできる。図４は、切起こし部３３ｄが外周側で円盤部５３ｂと一体になる例を示しているが、切起こし部３３ｄの向きを円周方向にしても良い。
【００４３】
この貫通穴５３ｃと切起こし部３３ｄによって、ロータ５３の内部と外部の空気の循環が一層活発となり、効率よくステータ２６ａの巻線を冷却することができる。貫通穴５３ｃと切起こし部３３ｄは、円形に限らずロータの強度や加工性に合わせて実施することでも良い。さらに切起こし部３３ｄは、ロータ５３の外方側に切り起こすだけではなく、ステータ２６ａとのクリアランスを確保した上でロータ５３の内方側に切り起こしても良い。
【００４４】
以上のように、本実施の形態２においては、マグネットを内設した円筒部と、円筒部と回転軸を締結する底部側の円盤部とで形成されるロータの円盤部に、複数の切起こし部を持つ貫通穴を設けたことにより、貫通穴を通してアウターロータの外部と内部との空気がさらに効率よく移動し、ロータに内包されたステータの巻線の熱放散を促し、別部品として冷却羽根を設ける必要もないので、簡単な構成で安価に、発熱によるポンプ性能の低下や絶縁性能の劣化を防止することができる。
【００４５】
（実施の形態３）
図５は、本発明の実施の形態３における洗濯機用ポンプの要部断面図を示すものである。
【００４６】
本実施の形態３は、循環ポンプ６７を構成するモータカバー６８の形状以外の構成は、上記実施の形態１と同じであり、詳細な説明は省略する。
【００４７】
図５において、モータカバー６８の下部に通気口６８ａ、後面側（反回転ランナー側）下部に庇部６９を持つ通気口６８ｂを設けている。通気口６８ｂは、モータカバー６８の内部と外部の空気を換気するためのものである。通気口はどちらか一方のみでも良い。
【００４８】
また、図５は洗濯機用ポンプを洗濯機に組み込んだ状態を示しており、図５の下方は重力に対して下方となることを示している。
【００４９】
この通気口６８ａおよび６８ｂは、万一上方から水が滴下してもモータカバー６８の内部に侵入しないよう下向きとしている。そして、モータカバー６８の外気を内部に取り入れることと合わせて、貫通穴３３ｃによってロータ３３の内部と外部の空気の循環が可能となり、ステータ２６ａの巻線を冷却することができる。
【００５０】
以上のように、本実施の形態３においては、ポンプモータのモータカバーの下面側に、通気口を設けたことにより、通気口によってモータカバーの外部と内部との空気が活発に移動し、万一、上部から水が滴下してもポンプモータ内部には水が侵入しない。従って、モータカバー内部の熱放散を促し、別部品として冷却羽根を設ける必要もないので、簡単な構成で安価に、発熱によるポンプ性能の低下や絶縁性能の劣化を防止することができる。
【００５１】
なお、本実施の形態１、２、３においては、循環ポンプは、洗浄効果を高める為に、洗
濯水をドラム開口から内部の衣類に洗濯水を循環撒布する構成を記したが、水槽内の洗濯水を機外に排水する排水ポンプにも適用可能である。また、循環ポンプは、ドラム式洗濯機以外の洗濯機に搭載することもできる。
【産業上の利用可能性】
【００５２】
以上のように、本発明にかかる洗濯機用ポンプは、循環ポンプのロータ円盤部に複数の貫通穴を設けたので、別部品として冷却羽根を設けることなく、巻線の発熱を抑えることが可能となるので、ポンプを有する他の洗濯機等の用途に適用できる。
【符号の説明】
【００５３】
２  外箱
７  水槽
８  ドラム
９  小孔
１４  モータ
１７、５７、６７  循環ポンプ
２３  回転ランナー
２５  ポンプケーシング
２６  ポンプモータ
２６ａ  ステータ
２７、６８  モータカバー
３１  回転軸
３２  マグネット
３３、５３  ロータ
３３ａ  円筒部
３３ｂ、５３ｂ  円盤部
３３ｃ、５３ｃ  貫通穴
３３ｄ  切起こし部
３８  羽根
６８ａ、６８ｂ  通気口
【図１】
2014030464.tif 000003
【図３】
2014030464.tif 000004
【図４】
2014030464.tif 000005
【図７】
2014030464.tif 000006
【図２】
2014030464.tif 000007
【図５】
2014030464.tif 000008
【図６】
2014030464.tif 000009